(57)【特許請求の範囲】
【請求項１】
波力を電気に変換する発電手段を備えた発電装置であって、
相互に間隔を隔てて設けられた一対の浮遊体と、
前記一対の浮遊体の相互の間隔が伸縮可能となるように、当該一対の浮遊体同士を接続する接続手段と、
前記一対の浮遊体のいずれか一方が波力を受けた場合に、前記一対の浮遊体の相互の間隔が伸縮することに伴って、前記一対の浮遊体のいずれか他方が押し引きされることにより、前記発電手段に当該波力を伝達する波力伝達手段と、を備え、
前記波力伝達手段は、
前記発電手段及び流体を収容する収容手段と、
前記収容手段に収容された前記流体を流動させる流動手段と、を備え、
前記収容手段は、
前記流動手段によって流動された前記流体を送出するポンプ流路と、
前記ポンプ流路と接続された発電流路であって、前記ポンプ流路から送出された前記流体の流動によって当該発電流路内に配置された前記発電手段を駆動させる発電流路と、
前記ポンプ流路と接続された第１の連通流路と、
前記ポンプ流路及び前記発電流路の各々と接続された第２の連通流路と、を備え、
前記ポンプ流路は、
前記流動手段を収容するシリンダ流路と、
前記シリンダ流路と前記発電流路とを連通する一対の連通流路と、
前記シリンダ流路と前記第１の連通流路又は前記第２の連通流路と連通する連通流路と、
前記一対の連通流路の一方の内部に配置された弁であって、前記発電流路から前記シリンダ流路への流体の流入を制限する弁と、
前記一対の連通流路の他方の内部に配置された弁であって、前記シリンダ流路から前記発電流路への流体の流入を制限する弁と、を備え、
前記第１の連通流路には、前記一対の連通流路の一方から前記一対の連通流路の他方への流体の流入を制限し、又は前記一対の連通流路の一方から前記第１の連通流路又は前記第２の連通流路と連通する連通流路への流体の流入を制限する弁を設け、
前記第２の連通流路には、前記一対の連通流路の一方から前記発電流路への流体の流入を制限し、又は前記第１の連通流路又は前記第２の連通流路と連通する連通流路から前記発電流路への流体の流入を制限する弁を設け、
前記シリンダ流路に形成された接続口のうち、前記流体を前記シリンダ流路に流入させる接続口又は前記流体を前記シリンダ流路から流出させる接続口の少なくともいずれか一方を、前記一対の連通流路に直接接続し、
前記シリンダ流路から流入させる接続口及び前記シリンダ流路から流出させる接続口の各々を、前記一対の連通流路のいずれか一方、あるいは前記第１の連通流路又は前記第２の連通流路と連通する連通流路を介して、前記第１の連通流路に間接的に接続し、
前記シリンダ流路から流入させる接続口及び前記シリンダ流路から流出させる接続口の各々を、前記一対の連通流路のいずれか一方、あるいは前記第１の連通流路又は前記第２の連通流路と連通する連通流路を介して、前記第２の連通流路に間接的に接続した、
発電装置。
【請求項２】
前記流体を前記シリンダ流路に流入させる前記接続口又は前記流体を前記シリンダ流路から流出させる前記接続口の少なくともいずれか一方と、前記発電手段とを、１つの直線状の前記連通流路のみを介して接続した、
請求項１に記載の発電装置。
【請求項３】
当該発電装置を、前後左右に複数列に設置し、又は海上施設の周囲の全体又は一部を取り囲むように複数設置した、
請求項１又は２に記載の発電装置。
【発明の詳細な説明】
【技術分野】
【０００１】
本発明は、発電装置に関する。
【背景技術】
【０００２】
従来、波力を利用して発電を行う発電装置が提案されている。例えば、バネを介して浮体の内部に取り付けられて、波の上下動に応じて上下方向に沿って往復直線運動する振動体と、振動体の往復直線運動に基づいて駆動されて発電する発電機とを備えている発電装置が開示されている。
【先行技術文献】
【特許文献】
【０００３】
【特許文献１】特開２０１２−２０７６５２号公報
【発明の概要】
【発明が解決しようとする課題】
【０００４】
しかしながら、上述した従来の発電装置においては、発電の効率性に関して改善の余地があった。例えば、上述した従来の発電装置は、波の上下動に応じて振動体が上下方向に沿って往復直線運動するものの、波の上下動以外の動きに応じて振動体が往復直線運動することができなかったので、発電機が駆動されず発電を行うことができなかった。そのため、上述した従来の発電装置の発電効率を更に向上させることが困難であった。
【０００５】
本発明は、上記に鑑みてなされたものであって、波の様々な動きに応じて発電を行うことにより、発電の効率を向上させることが可能となる、発電装置を提供することを目的とする。
【課題を解決するための手段】
【０００６】
上述した課題を解決し、目的を達成するために、請求項１に記載の発電装置は、波力を電気に変換する発電手段を備えた発電装置であって、相互に間隔を隔てて設けられた一対の浮遊体と、前記一対の浮遊体の相互の間隔が伸縮可能となるように、当該一対の浮遊体同士を接続する接続手段と、前記一対の浮遊体のいずれか一方が波力を受けた場合に、前記一対の浮遊体の相互の間隔が伸縮することに伴って、前記一対の浮遊体のいずれか他方が押し引きされることにより、前記発電手段に当該波力を伝達する波力伝達手段と、を備え、前記波力伝達手段は、前記発電手段及び流体を収容する収容手段と、前記収容手段に収容された前記流体を流動させる流動手段と、を備え、前記収容手段は、前記流動手段によって流動された前記流体を送出するポンプ流路と、前記ポンプ流路と接続された発電流路であって、前記ポンプ流路から送出された前記流体の流動によって当該発電流路内に配置された前記発電手段を駆動させる発電流路と、前記ポンプ流路と接続された第１の連通流路と、前記ポンプ流路及び前記発電流路の各々と接続された第２の連通流路と、を備え、前記ポンプ流路は、前記流動手段を収容するシリンダ流路と、前記シリンダ流路と前記発電流路とを連通する一対の連通流路と、前記シリンダ流路と前記第１の連通流路又は前記第２の連通流路と連通する連通流路と、前記一対の連通流路の一方の内部に配置された弁であって、前記発電流路から前記シリンダ流路への流体の流入を制限する弁と、前記一対の連通流路の他方の内部に配置された弁であって、前記シリンダ流路から前記発電流路への流体の流入を制限する弁と、を備え、前記第１の連通流路には、前記一対の連通流路の一方から前記一対の連通流路の他方への流体の流入を制限し、又は前記一対の連通流路の一方から前記第１の連通流路又は前記第２の連通流路と連通する連通流路への流体の流入を制限する弁を設け、前記第２の連通流路には、前記一対の連通流路の一方から前記発電流路への流体の流入を制限し、又は前記第１の連通流路又は前記第２の連通流路と連通する連通流路から前記発電流路への流体の流入を制限する弁を設け、前記シリンダ流路に形成された接続口のうち、前記流体を前記シリンダ流路に流入させる接続口又は前記流体を前記シリンダ流路から流出させる接続口の少なくともいずれか一方を、前記一対の連通流路に直接接続し、前記シリンダ流路から流入させる接続口及び前記シリンダ流路から流出させる接続口の各々を、前記一対の連通流路のいずれか一方、あるいは前記第１の連通流路又は前記第２の連通流路と連通する連通流路を介して、前記第１の連通流路に間接的に接続し、前記シリンダ流路から流入させる接続口及び前記シリンダ流路から流出させる接続口の各々を、前記一対の連通流路のいずれか一方、あるいは前記第１の連通流路又は前記第２の連通流路と連通する連通流路を介して、前記第２の連通流路に間接的に接続した。
【０００７】
また、請求項２に記載の発電装置は、請求項１に記載の発電装置において、前記流体を前記シリンダ流路に流入させる前記接続口又は前記流体を前記シリンダ流路から流出させる前記接続口の少なくともいずれか一方と、前記発電手段とを、１つの直線状の前記連通流路のみを介して接続した。
【０００８】
また、請求項３に記載の発電装置は、請求項１又は２に記載の発電装置において、当該発電装置を、前後左右に複数列に設置し、又は海上施設の周囲の全体又は一部を取り囲むように複数設置した。
【発明の効果】
【０００９】
請求項１に記載の発電装置によれば、コンパクトな構成とすることができ、設置性を向上させることができる。
【図面の簡単な説明】
【００１０】
【図１】実施の形態１に係る発電装置の概要を示す斜視図である。
【図２】隣接する発電装置の側面図である。
【図３】波力伝達部の内部構造を示す平面図である。
【図４】発電装置の発電状況を示す図であり、（ａ）は発電装置の浮遊体の下面が正圧を受けた状態示す図であり、（ｂ）は（ａ）の時の発電装置の収容部内部における流体の流動状態を示す図である。
【図５】発電装置の発電状況を示す図であり、（ａ）は発電装置の浮遊体の下面が負圧を受けた状態を示す図であり、（ｂ）は（ａ）の時の発電装置の収容部内部における流体の流動状態を示す図である。
【図６】実施の形態２に係る発電装置の波力伝達部の内部構造を示す平面図である。
【図７】発電装置の発電状況を示す図であり、（ａ）は発電装置の浮遊体の下面が正圧を受けた状態示す図であり、（ｂ）は（ａ）の時の発電装置の収容部内部における流体の流動状態を示す図である。
【図８】発電装置の発電状況を示す図であり、（ａ）は発電装置の浮遊体の下面が負圧を受けた状態を示す図であり、（ｂ）は（ａ）の時の発電装置の収容部内部における流体の流動状態を示す図である。
【図９】実施の形態３に係る発電装置の波力伝達部の内部構造を示す平面図である。
【図１０】発電装置の発電状況を示す図であり、（ａ）は発電装置の浮遊体の下面が正圧を受けた状態示す図であり、（ｂ）は（ａ）の時の発電装置の収容部内部における流体の流動状態を示す図である。
【図１１】発電装置の発電状況を示す図であり、（ａ）は発電装置の浮遊体の下面が負圧を受けた状態を示す図であり、（ｂ）は（ａ）の時の発電装置の収容部内部における流体の流動状態を示す図である。
【図１２】発電装置の波力伝達部における内部構造の変形例を示す平面図である。
【図１３】発電装置の設置の変形例を示す斜視図である。
【発明を実施するための形態】
【００１１】
以下に添付図面を参照して、この発明に係る発電装置の実施の形態を詳細に説明する。ただし、これらの実施の形態によって本発明が限定されるものではない。
【００１２】
〔実施の形態１〕
次に、実施の形態１について説明する。この形態は、波力伝達手段の収容手段の一部をブリッジ状に形成した形態である。
【００１３】
（構成）
実施の形態１に係る発電装置の適用対象は、例えば養殖用の生簀、浮き灯台、風力発電用風車、海上ヘリポート等の海上施設の周囲全体又は一部を取り囲むように設置される浮消波堤１や浮き桟橋等に用いることができるが、以下では、発電装置を浮消波堤１に適用した場合を例として説明を行う。
【００１４】
まず、実施の形態１に係る発電装置の構成について説明する。図１は、実施の形態１に係る発電装置の概要を示す斜視図である。図２は、隣接する発電装置の側面図である。図３は、後述する波力伝達部の内部構造を示す平面図である。なお、以下の説明においては、図１のＸ方向を左右方向、図１のＹ方向を前後方向、図１のＺ方向を上下方向とする。また、図１では、図の簡略化のために、後述する発電部９０の図示を省略する。また、図２では、後述する波力伝達部３０の収容部４０及び後述する発電部９０の図示を省略する（なお、図４（ａ）、図５（ａ）、図７（ａ）、図８（ａ）、図１０（ａ）、図１１（ａ）についても同様とする）。図１から図３に示すように、浮消波堤１には、発電装置２が複数設けられており、この発電装置２は、浮遊体１０と、接続部２０と、波力伝達部３０と、発電部９０とを備えている。なお、以下では、図２に示す発電装置２ａ、２ｂについて説明を行うものとする。
【００１５】
（構成−浮遊体）
浮遊体１０は、発電装置２の基本構造体であって、発電装置２を水面上に浮遊させるための浮遊手段である。図１、図２に示すように、浮遊体１０は、略箱状体（図１では直方体等）であり、例えば金属材、樹脂材、ゴム材等にて形成されている。ここで、浮遊体１０の形成方法は任意であるが、例えば、正面壁、背面壁と、下面壁と、左面壁と、右面壁とは一体成型により形成されており、上面壁は、これら一体成型されたものから着脱自在に形成される方法が該当する。また、図２に示すように、発電装置２ａの浮遊体１０と発電装置２ｂの浮遊体１０は、相互に間隔を隔てて配置されている。
【００１６】
また、浮遊体１０には、開口１０ａが設けられている。開口１０ａは、後述する波力伝達部３０の流動部８０の一部を浮遊体１０の内部に挿通するための開口である。
【００１７】
（構成−接続部）
接続部２０は、発電装置２ａ、２ｂの浮遊体１０の相互の間隔が伸縮可能となるように、これら浮遊体１０を接続する接続手段である。図１、図２に示すように、接続部２０は、例えば金属材、樹脂材等にて形成されており、回転軸２１と、継手部２２ａ、２２ｂとを備えて構成されている。
【００１８】
回転軸２１は、継手部２２ａ、２２ｂを当該回転軸２１を中心に回転させるための軸である。回転軸２１は、例えば公知の回転ピンを用いて構成されており、発電装置２ａ、２ｂの浮遊体１０の相互間に配置されている。
【００１９】
継手部２２ａは、回転軸２１と発電装置２ａの浮遊体１０を接続するためのものであり、継手部２２ｂは、回転軸２１と発電装置２ｂの浮遊体１０を接続するためのものである。継手部２２ａ、２２ｂは、略方形状体（例えば直方体等）にて形成されている。また、この継手部２２ａは、回転軸２１と発電装置２ａの浮遊体１０との相互間に配置され、回転軸２１及び当該浮遊体１０に対して溶接又は固定具等によって接続されている。また、この継手部２２ｂは、回転軸２１と発電装置２ｂの浮遊体１０との相互間に配置され、回転軸２１及び当該浮遊体１０に対して溶接又は固定具等によって接続されている。
【００２０】
このような構成により、発電装置２ａの浮遊体１０（又は発電装置２ｂの浮遊体１０）がＺ方向に沿った波力を受けた場合に、当該浮遊体１０が回転軸２１を中心として回転することにより、発電装置２ａ、２ｂの浮遊体１０の相互の間隔を伸縮させることができる。
【００２１】
（構成−波力伝達部）
波力伝達部３０は、発電部９０に波力を伝達する波力伝達手段である。図１、図３に示すように、発電装置２ａ、２ｂの波力伝達部３０の各々は、発電装置２ａ、２ｂの浮遊体１０にわたって配置されており、収容部４０と、流動部８０とを備えている。
【００２２】
（構成−波力伝達部−収容部）
収容部４０は、流体を収容する収容手段である。ここで、「流体」とは、流動性を有するものであり、例えば空気、ヘリウムガス等の気体と、水、油等の液体と、高分子ゲル等の半固体ないし固体とを含む概念である。図１、図３に示すように、収容部４０は、例えば金属材、樹脂材等にて形成された中空管体であり、例えば公知の配管等を用いて構成されている。また、発電装置２ａの収容部４０は、発電装置２ａの浮遊体１０の内部に配置されており、当該浮遊体１０に対して固定具等により固定されている。同様に、発電装置２ｂの収容部４０は、発電装置２ｂの浮遊体１０の内部に配置されており、当該浮遊体１０に対して固定具等により固定されている。また、収容部４０は、ポンプ流路５０と、ブリッジ流路６０と、発電流路７０とを備えている。ここで、この収容部４０の形成方法は任意であるが、例えば、ポンプ流路５０と、ブリッジ流路６０と、発電流路７０とが一体成型により形成される方法が該当する。
【００２３】
（構成−波力伝達部−収容部−ポンプ流路）
ポンプ流路５０は、流動部８０によって流動された流体をブリッジ流路６０に向けて送出する流路であり、シリンダ流路５１と、連通流路５２、５３とを備えている。
【００２４】
シリンダ流路５１は、流動部８０を収容する流路であって、流動部８０が当該シリンダ流路５１の長手方向に沿って往復移動可能な流路である。このシリンダ流路５１の形状については、例えば、シリンダ流路５１の流路径ＤＡの大きさを、当該流動部８０の突起部分の外径と略同一の大きさとしている。また、このシリンダ流路５１には、開口５１ａ、接続口５１ｂ、５１ｃが設けられている。開口５１ａは、流動部８０の突起部分を収容部４０内に挿通するための開口であり、例えばシリンダ流路５１の長手方向の一方の端部に形成されている。接続口５１ｂは、連通流路５２をシリンダ流路５１に接続するための接続口であり、例えばシリンダ流路５１の長手方向の開口５１ａ側とは反対側の端部に形成されている。接続口５１ｃは、連通流路５３をシリンダ流路５１に接続するための接続口であり、例えばシリンダ流路５１の開口５１ａ近傍の端部に形成されている。
【００２５】
連通流路５２は、後述するブリッジ流路６０の第１の流路６１ａ及び第２の流路６１ｂをシリンダ流路５１に連通させる流路であり、シリンダ流路５１の接続口５１ｂを介してシリンダ流路５１と接続されている。また、この連通流路５２の形状については、例えば、連通流路５２の流路径ＤＢの大きさを、シリンダ流路５１の流路径ＤＡよりも小さくしている（すなわち、流路径ＤＢ＜流路径ＤＡとしている）。
【００２６】
連通流路５３は、後述するブリッジ流路６０の第３の流路６１ｃ及び第４の流路６１ｄをシリンダ流路５１に連通させる流路であり、シリンダ流路５１の接続口５１ｃを介してシリンダ流路５１と接続されている。また、この連通流路５３の形状については、例えば、連通流路５３の流路径ＤＣの大きさを、連通流路５２の流路径ＤＢと略同一の大きさとしている。
【００２７】
（構成−波力伝達部−収容部−ブリッジ流路）
ブリッジ流路６０は、シリンダ流路５１から発電流路７０に流れる流体の流動方向を調整するための流路であり、第１の流路６１ａと、第２の流路６１ｂと、第３の流路６１ｃと、第４の流路６１ｄと、第１の接続部６２ａと、第２の接続部６２ｂと、第３の接続部６２ｃと、第４の接続部６２ｄと、第１の弁６３ａと、第２の弁６３ｂと、第３の弁６３ｃと、第４の弁６３ｄとを備えている。
【００２８】
第１の流路６１ａは、ポンプ流路５０の連通流路５２と後述する発電流路７０の調整流路７２とを接続するための流路である。この第１の流路６１ａの形状については、例えば、第１の流路６１ａの流路径ＤＤの大きさを、ポンプ流路５０の連通流路５２の流路径ＤＡと略同一の大きさとしている（なお、第２の流路６１ｂの流路径ＤＥから第４の流路６１ｄの流路径ＤＧの大きさについても同様とする）。第２の流路６１ｂは、ポンプ流路５０の連通流路５２と後述する発電流路７０のダイナモ収容流路７１とを接続するための流路である。この第２の流路６１ｂの形状については、例えば、第２の流路６１ｂの長手方向の長さを、第１の流路６１ａの長手方向の長さと略同一としている（なお、第３の流路６１ｃ及び第４の流路６１ｄの長手方向の長さについても同様とする）。第３の流路６１ｃは、ポンプ流路５０の連通流路５３と後述する発電流路７０の調整流路７２とを接続するための流路である。第４の流路６１ｄは、ポンプ流路５０の連通流路５３と後述する発電流路７０のダイナモ収容流路７１とを接続するための流路である。
【００２９】
第１の接続部６２ａは、ポンプ流路５０の連通流路５２におけるシリンダ流路５１側とは反対側の端部と、第１の流路６１ａの長手方向の一方の端部と、第２の流路６１ｂの長手方向の一方の端部とを接続するための接続部であり、例えば公知のジョイント部材を用いて構成されている（なお、第２の接続部６２ｂから第４の接続部６２ｄの構成についても同様とする）。第２の接続部６２ｂは、後述する発電流路７０の調整流路７２におけるダイナモ収容流路７１側とは反対側の端部と、第１の流路６１ａの長手方向の他方の端部と、第３の流路６１ｃの長手方向の一方の端部とを接続するための接続部である。第３の接続部６２ｃは、後述する発電流路７０のダイナモ収容流路７１における調整流路７２側とは反対側の端部と、第２の流路６１ｂの長手方向の他方の端部と、第４の流路６１ｄの長手方向の一方の端部とを接続するための接続部である。第４の接続部６２ｄは、ポンプ流路５０の連通流路５３におけるシリンダ流路５１側とは反対側の端部と、第３の流路６１ｃの長手方向の他方の端部と、第４の流路６１ｄの長手方向の他方の端部とを接続するための接続部である。
【００３０】
第１の弁６３ａは、第１の接続部６２ａから第２の接続部６２ｂへの流体の流入を制限する弁である。この第１の弁６３ａは、例えば公知の弁体を用いて構成されており（なお、第２の弁６３ｂから後述する第１２の弁２９１の構成についても同様とする）、第１の流路６１ａ内に配置されている。第２の弁６３ｂは、第３の接続部６２ｃから第１の接続部６２ａへの流体の流入を制限する弁であり、第２の流路６１ｂ内に配置されている。第３の弁６３ｃは、第４の接続部６２ｄから第２の接続部６２ｂへの流体の流入を制限する弁であり、第３の流路６１ｃ内に配置されている。第４の弁６３ｄは、第３の接続部６２ｃから第４の接続部６２ｄへの流体の流入を制限する弁であり、第４の流路６１ｄ内に配置されている。
【００３１】
このような構成によって、ポンプ流路５０のシリンダ流路５１から連通流路５２を介して流体が送出された場合に、当該流体を第２の流路６１ｂを介して後述する発電流路７０のダイナモ収容流路７１に送出することができると共に、ポンプ流路５０のシリンダ流路５１から連通流路５３を介して流体が送出された場合にも、当該流体を第４の流路６１ｄを介して後述する発電流路７０のダイナモ収容流路７１に送出することができる。また、第２の流路６１ｂ及び第４の流路６１ｄの流路径及び長さを略同一にしているので、ポンプ流路５０の連通流路５２及び第２の流路６１ｂを介して後述する発電流路７０のダイナモ収容流路７１に向けて送出される流体の流動と、ポンプ流路５０の連通流路５３及び第４の流路６１ｄを介して後述する発電流路７０のダイナモ収容流路７１に向けて送出される流体の流動とを略均一にすることができる。
【００３２】
（構成−波力伝達部−収容部−発電流路）
発電流路７０は、ポンプ流路５０から送られた流体の流動によって、当該発電流路７０内に配置された後述する発電部９０のダイナモ９１を駆動させる流路であり、ダイナモ収容流路７１と、調整流路７２とを備えている。
【００３３】
ダイナモ収容流路７１は、後述する発電部９０のダイナモ９１を収容するための流路である。このダイナモ収容流路７１の形状については、例えば、第２の流路６１ｂ又は第４の流路６１ｄから送出された流体の圧力を小さくして、ダイナモ収容流路７１における流体の流動性を高めるために、ダイナモ収容流路７１の流路径ＤＨの大きさを、第２の流路６１ｂの流路径ＤＧ及び第４の流路６１ｄの流路径ＤＩよりも大きくしている（すなわち、流路径ＤＨ＞流路径ＤＧ（又は流路径ＤＩ）としている。ただし、シリンダ流路５１の流路径ＤＨの大きさよりも小さいものとする）。また、このダイナモ収容流路７１には、接続口７１ａが設けられている。接続口７１ａは、調整流路７２をダイナモ収容流路７１に接続するための接続口である。
【００３４】
調整流路７２は、ダイナモ収容流路７１から送出された流体の流動を調整するための流路であり、ダイナモ収容流路７１の接続口７１ａを介してダイナモ収容流路７１と接続されている。この調整流路７２の形状については、例えば、ダイナモ収容流路７１から送出された流体の圧力を小さくして、調整流路７２における流体の流動性を高めるために、調整流路７２の流路径ＤＩの大きさを、ポンプ流路５０のシリンダ流路５１の流路径ＤＡと略同一の大きさとしている。なお、この調整流路７２は、特許請求の範囲における「発電流路のうち、発電手段の近傍部分であって、第３の接続部側とは反対側の近傍部分」に対応する。
【００３５】
（構成−波力伝達部−流動部）
流動部８０は、収容部４０に収容された流体を流動させる流動手段である。図１、図３に示すように、流動部８０は、例えば金属材、樹脂材等にて形成された略逆凸状の棒状体である。また、発電装置２ａの流動部８０は、当該流動部８０の長手方向の突起部分側の端部が自由端となり、当該長手方向の突起部分側とは反対側の端部が固定端となるように、発電装置２ｂの浮遊体１０に対して溶接等によって固定されている。また、発電装置２ａの流動部８０は、当該流動部８０の長手方向の突起部分側の端部が自由端となり、当該長手方向の突起部分側とは反対側の端部が固定端となるように、発電装置２ａの浮遊体１０に対して溶接等によって固定されている。これにより、例えば、発電装置２ａの浮遊体１０（又は発電装置２ｂの浮遊体１０）が左斜め方向（又は右斜め方向）に沿った波力を受けた場合に、当該浮遊体１０がＸ方向に沿って移動することにより、発電装置２ａ、２ｂの浮遊体１０の相互の間隔を伸縮させることができる。なお、発電装置２ａ、２ｂの浮遊体１０の高さが高い場合であって、且つ、浮遊体１０の上端部近傍に流動部８０が配置されると共に、浮遊体１０の下端部近傍に接続部２０が配置されている場合には（あるいは、流動部８０と接続部２０とが逆の位置に配置されてもよい）、発電装置２ａの浮遊体１０（又は発電装置２ｂの浮遊体１０）がＸ方向に略沿った波力を受けた場合にも、当該浮遊体１０がＸ方向に沿って移動することにより、発電装置２ａ、２ｂの浮遊体１０の相互の間隔を伸縮させることができる。
【００３６】
ここで、流動部８０の形状については、例えば、当該流動部８０の突起部分の外径の大きさを、収容部４０におけるシリンダ流路５１の流路径ＤＡと略同一の大きさとしている。
【００３７】
また、流動部８０の配置については、例えば、発電装置２ａの流動部８０の突起部分の少なくとも一部が発電装置２ａの収容部４０におけるシリンダ流路５１の内部に収容されるように、当該流動部８０が配置されている。また、発電装置２ｂの流動部８０の突起部分の少なくとも一部が発電装置２ｂの収容部４０におけるシリンダ流路５１の内部に収容されるように、当該流動部８０が配置されている。
【００３８】
（構成−発電部）
発電部９０は、波力伝達部３０にて伝達された波力によって駆動されることにより発電を行う発電手段である。図３に示すように、発電装置２ａの発電部９０は、発電装置２ａの浮遊体１０の内部に収容されていると共に、発電装置２ｂの発電部９０は、発電装置２ｂの浮遊体１０の内部に収容されている。また、この発電部９０は、ダイナモ９１と、発電基板（図示省略）とを備えている。
【００３９】
（構成−発電部−ダイナモ）
ダイナモ９１は、流動部８０による流体の流動によって駆動されることにより発電を行うものである。ダイナモ９１は、例えば、当該ダイナモ９１の回転子（図示省略）の発電可能な回転方向が一方向（例えば、時計回りの方向等）である公知のダイナモ等を用いて構成されている。また、このダイナモ９１は、収容部４０におけるダイナモ収容流路７１の内部に収容され、当該ダイナモ収容流路７１に対して固定具等にて固定されている。
【００４０】
（構成−発電部−発電基板）
発電基板は、発電装置２の各種機能を実現するための電気回路（図示省略）が実装された基板である。この発電基板は、収容部４０近傍に配置されており、当該収容部４０が設けられた浮遊体１０に対して固定具等にて固定されている。また、この発電基板２４には、電力変換部（図示省略）や電力出力部（図示省略）も実装されている。ここで、電力変換部は、ダイナモ９１にて発電された電力を所定の電力に変換する電力変換手段であり、ダイナモ９１と図示しない配線を介して電気的に接続されている。また、電力出力部は、電力変換部にて変換された電力を外部機器に出力するための電力出力手段であり、外部機器と図示しない配線を介して電気的に接続されている。
【００４１】
（発電装置の機能）
このように構成された発電装置２の機能について説明する。図４は、発電装置２の発電状況を示す図であり、（ａ）は発電装置２ａの浮遊体１０の下面が正圧を受けた状態示す図であり、（ｂ）は（ａ）の時の発電装置２ａの収容部４０内部における流体の流動状態を示す図である。図５は、発電装置２の発電状況を示す図であり、（ａ）は発電装置２ａの浮遊体１０の下面が負圧を受けた状態を示す図であり、（ｂ）は（ａ）の時の発電装置２ａの収容部４０内部における流体の流動状態を示す図である。
【００４２】
まず、図４（ａ）、（ｂ）に示すように、発電装置２ａの浮遊体１０側の波高が高くなることによって、当該浮遊体１０の下面が正圧を受けた場合、接続部２０の回転軸２１を中心とした当該浮遊体１０の時計回りの回転により発電装置２ａ、２ｂの浮遊体１０の相互の間隔が縮まることに伴って、これら浮遊体１０同士が引き寄せられることにより、発電装置２ａの流動部８０によって発電装置２ａの収容部４０におけるポンプ流路５０のシリンダ流路５１内の流体が正圧を受けると共に、発電装置２ｂの流動部８０によって発電装置２ｂの収容部４０におけるポンプ流路５０のシリンダ流路５１内の流体が正圧を受ける。これにより、発電装置２ａ、２ｂの収容部４０内の流体に波力が伝達される。また、図４（ｂ）に示すように、発電装置２ａの収容部４０におけるポンプ流路５０のシリンダ流路５１内の流体が、当該ポンプ流路５０の連通流路５２を介してブリッジ流路６０の第２の流路６１ｂに送出されて、当該第２の流路６１ｂを介して発電流路７０のダイナモ収容流路７１に送出される。一方、このシリンダ流路５１内の流体が、連通流路５２を介してブリッジ流路６０の第１の流路６１ａに送出された場合には、ブリッジ流路６０の第１の弁６３ａによって、発電流路７０の調整流路７２への当該流体の流入が制限される。そして、このダイナモ収容流路７１に流入された流体は、ブリッジ流路６０の第３の接続部６２ｃから発電流路７０の調整流路７２に向けて流動することにより、当該流体に伝達された波力が発電部９０のダイナモ９１に伝達される。その後、この調整流路７２に流入された流体は、ブリッジ流路６０の第３の流路６１ｃに送出されて、当該第３の流路６１ｃ及びポンプ流路５０の連通流路５３を介してポンプ流路５０のシリンダ流路５１に送出される。一方、この調整流路７２に流入された流体が、ブリッジ流路６０の第１の流路６１ａに送出された場合には、連通流路５２を介してブリッジ流路６０の第１の流路６１ａに送出された流体によって、ブリッジ流路６０の第１の弁６３ａが押圧されているので、ポンプ流路５０の連通流路５２への当該流体の流入が制限される（なお、発電装置２ｂの収容部４０内の流体の流動状態についても同様とする）。
【００４３】
一方、図５（ａ）、（ｂ）に示すように、発電装置２ａの浮遊体１０側の波高が低くなることによって、当該浮遊体１０の下面が負圧を受けた場合、接続部２０の回転軸２１を中心とした当該浮遊体１０の反時計回りの回転により発電装置２ａ、２ｂの浮遊体１０の相互の間隔が伸びることに伴って、これら浮遊体１０同士が引き離されることにより、発電装置２ａの流動部８０によって発電装置２ａの収容部４０内の流体が負圧を受けると共に、発電装置２ｂの流動部８０によって発電装置２ｂの収容部４０内の流体が負圧を受ける。これにより、発電装置２ａ、２ｂの収容部４０内の流体に波力が伝達される。また、図５（ｂ）に示すように、発電装置２ａの収容部４０におけるポンプ流路５０のシリンダ流路５１内の流体が、当該ポンプ流路５０の連通流路５３を介してブリッジ流路６０の第４の流路６１ｄに送出されて、当該第４の流路６１ｄを介して発電流路７０のダイナモ収容流路７１に送出される。一方、このシリンダ流路５１内の流体が、連通流路５３を介してブリッジ流路６０の第３の流路６１ｃに送出された場合には、ブリッジ流路６０の第３の弁６３ｃによって、発電流路７０の調整流路７２への当該流体の流入が制限される。そして、このダイナモ収容流路７１に流入された流体は、ブリッジ流路６０の第３の接続部６２ｃから発電流路７０の調整流路７２に向けて流動することにより、当該流体に伝達された波力が発電部９０のダイナモ９１に伝達される。その後、この調整流路７２に流入された流体は、ブリッジ流路６０の第１の流路６１ａに送出されて、当該第１の流路６１ａ及びポンプ流路５０の連通流路５２を介してポンプ流路５０のシリンダ流路５１に送出される。一方、この調整流路７２に流入された流体が、ブリッジ流路６０の第３の流路６１ｃに送出された場合には、連通流路５３を介してブリッジ流路６０の第３の流路６１ｃに送出された流体によって、ブリッジ流路６０の第３の弁６３ｃが押圧されているので、ポンプ流路５０の連通流路５３への当該流体の流入が制限される（なお、発電装置２ｂの収容部４０内の流体の流動状態についても同様とする）。
【００４４】
これらの場合において、波力によって発電部９０のダイナモ９１が回転される方向と、当該ダイナモ９１の回転子が発電可能な回転方向とが一致する場合には、当該ダイナモ９１に伝達された波力によって当該ダイナモ９１が駆動されることにより、当該ダイナモ９１が発電を行うことが可能となる。このような発電装置２が浮消波堤１に適用された場合には、波力を吸収することに加えて、発電を行うことができるので、例えば、このダイナモ９１によって発電された電力を、発電部９０の発電基板を介して海上施設の照明等に供給することが可能になる。
【００４５】
特に、図４（ａ）、（ｂ）、図５（ａ）、（ｂ）に示すように、波の上下の動き及び左右斜めの動きに応じて発電を行うことができる。また、ブリッジ流路６０の第２の流路６１ｂ及び第４の流路６１ｄの流路径及び長さを略同一にしているので、ポンプ流路５０の連通流路５２及び第２の流路６１ｂを介して発電流路７０のダイナモ収容流路７１に向けて送出される流体の流動と、ポンプ流路５０の連通流路５３及び第４の流路６１ｄを介して発電流路７０のダイナモ収容流路７１に向けて送出される流体の流動とを略均一にすることができ、安定した発電を行うことが可能となる。
【００４６】
（効果）
このように実施の形態１によれば、発電装置２ａ、２ｂの浮遊体１０のいずれか一方が波力を受けた場合に、これら浮遊体１０の相互の間隔が伸縮することに伴って、これら浮遊体１０のいずれか他方が押し引きされることにより、発電装置２ａ、２ｂの各々の波力伝達部３０は、対応する発電部９０のダイナモ９１に当該波力を伝達し、発電装置２ａ、２ｂの発電部９０のダイナモ９１は、対応する波力伝達部３０にて伝達された波力によって当該発電部９０のダイナモ９１が駆動されることにより発電を行うので、波の上下の動き及び左右斜めの動きに応じて発電を行うことができ、従来の発電装置に比べて発電の効率を向上させることが可能となる。
【００４７】
また、発電装置２ａ、２ｂの浮遊体１０のいずれか一方が波力を受けた場合に、接続部２０の回転軸２１を中心としたこれら浮遊体１０のいずれか一方の回転によりこれら浮遊体１０の相互の間隔が伸縮することに伴って、これら浮遊体１０のいずれか他方が押し引きされることにより、発電装置２ａ、２ｂの流動部８０の各々は、発電装置２ａ、２ｂの各々の収容部４０に収容された流体を流動させ、発電部９０のダイナモ９１は、この流動部８０による流体の流動によって当該発電部９０のダイナモ９１が駆動されることにより発電を行うので、流動部８０による流体の特性を活かした工夫を施すことにより、当該発電手段に対して波力を効果的に伝達することができ、発電の効率を一層向上させることが可能となる。
【００４８】
また、収容部４０の第１の流路６１ａと、第２の流路６１ｂと、第３の流路６１ｃと、第４の流路６１ｄとをブリッジ状に形成し、且つ各流路に第１の弁６３ａと、第２の弁６３ｂと、第３の弁６３ｃと、第４の弁６３ｄとを設けて、ポンプ流路５０から第２の流路６１ｂ又は第４の流路６１ｄを介して発電流路７０に流体が送られるようにすることにより、発電流路７０が、当該送られた流体の流動によって、当該発電流路７０内に配置された発電部９０のダイナモ９１を駆動させるので、発電装置２ａ、２ｂの浮遊体１０の相互の間隔が伸縮びたり又は縮んだ場合でも、波力によって当該ダイナモ９１が駆動される方向と、当該ダイナモ９１が発電可能な駆動方向とを一致させることによって、当該ダイナモ９１が発電を行うことが可能となる。
【００４９】
また、発電流路７０における調整流路７２の流路径ＤＩの大きさを、発電流路７０におけるダイナモ収容流路７１の流路径ＤＨのよりも大きくしたので、このダイナモ収容流路７１から送出された流体の圧力を小さくして、この調整流路７２における流体の流動性を高めることができ、発電部９０のダイナモ９１の発電効率をさらに一層高めることができる。
【００５０】
〔実施の形態２〕
次に、実施の形態２について説明する。この形態は、波力伝達手段の収容手段を単純構造とした形態である。なお、実施の形態１と略同様の構成要素については、必要に応じて、実施の形態１で用いたのと同一の符号又は名称を付してその説明を省略する。
【００５１】
（構成）
まず、実施の形態２に係る発電装置の構成について説明する。図６は、実施の形態２に係る発電装置の波力伝達部の内部構造を示す平面図である。図６に示すように、実施の形態２に係る発電装置１０２は、実施の形態１に係る発電装置２とほぼ同様に構成されている。ただし、波力伝達部３０の収容部１４０の構成内容について、下記に示す工夫が施されている。
【００５２】
（構成−波力伝達部−収容部）
図６に示すように、収容部１４０は、ポンプ流路１５０と、発電流路１７０と、第１の連通流路１８０と、第２の連通流路１９０とを備えている。ここで、この収容部１４０の形成方法は任意であるが、例えば、図６に示すように、ポンプ流路１５０と、発電流路１７０と、第１の連通流路１８０と、第２の連通流路１９０とが一体成型により形成される方法が該当する。また、収容部１４０の流路径の大きさについては、例えば、図６に示すように、収容部１４０におけるポンプ流路１５０のシリンダ流路１５１の流路径を、当該シリンダ流路１５１の流路径以外の他の流路径よりも大きくしている。
【００５３】
（構成−波力伝達部−収容部−ポンプ流路）
ポンプ流路１５０は、シリンダ流路１５１と、連通流路１５２、１５３、１５４とを備えている。
【００５４】
シリンダ流路１５１には、開口１５１ａと、接続口１５１ｂ、１５１ｃ、１５１ｄとが設けられている。ここで、接続口１５１ｂは、連通流路１５２をシリンダ流路１５１に接続するための接続口であり、例えばシリンダ流路１５１の長手方向の開口１５１ａ側とは反対側の端部に形成されている。接続口１５１ｃは、連通流路１５３をシリンダ流路１５１に接続するための接続口であり、例えばシリンダ流路１５１の長手方向の開口１５１ａ側とは反対側の端部であって、接続口１５１ｂとは異なる位置の端部に形成されている。接続口１５１ｄは、連通流路１５４をシリンダ流路１５１に接続するための接続口であり、例えばシリンダ流路１５１の開口１５１ａ近傍の端部に形成されている。
【００５５】
連通流路１５２は、発電流路１７０のダイナモ収容流路１７１及び第１の連通流路１８０をシリンダ流路１５１に連通させる流路であり、シリンダ流路１５１の接続口１５１ｂを介してシリンダ流路１５１と接続されている。この連通流路１５２には、第５の弁１５２ａと、接続口１５２ｂ、１５２ｃとが設けられている。第５の弁１５２ａは、発電流路１７０のダイナモ収容流路１７１からシリンダ流路１５１への流体の流入を制限する弁である。接続口１５２ｂは、発電流路１７０のダイナモ収容流路１７１を連通流路１５２に接続するための接続口である。接続口１５２ｃは、第１の連通流路１８０を連通流路１５２に接続するための接続口である。
【００５６】
連通流路１５３は、発電流路１７０の調整流路１７２及び第２の連通流路１９０をシリンダ流路１５１に連通させる流路であり、シリンダ流路１５１の接続口１５１ｃを介してシリンダ流路１５１と接続されている。この連通流路１５３には、第６の弁１５３ａと、接続口１５３ｂとが設けられている。第６の弁１５３ａは、シリンダ流路１５１から発電流路１７０の調整流路１７２への流体の流入を制限する弁である。接続口１５３ｂは、発電流路１７０の調整流路１７２を連通流路１５３に接続するための接続口である。
【００５７】
連通流路１５４は、第１の連通流路１８０及び第２の連通流路１９０をシリンダ流路１５１に連通させる流路であり、シリンダ流路１５１の接続口１５１ｄを介してシリンダ流路１５１と接続されている。この連通流路１５４には、接続口１５４ａ、１５４ｂが設けられている。接続口１５４ａは、第１の連通流路１８０を連通流路１５４に接続するための接続口である。接続口１５４ｂは、第２の連通流路１９０を連通流路１５４に接続するための接続口である。
【００５８】
（構成−波力伝達部−収容部−発電流路）
発電流路１７０は、ダイナモ収容流路１７１と、調整流路１７２とを備えている。ここで、ダイナモ収容流路１７１は、ポンプ流路１５０における連通流路１５２の接続口１５２ａを介して当該連通流路１５２と接続されている。また、調整流路１７２は、ポンプ流路１５０における連通流路１５３の接続口１５３ａを介して当該連通流路１５３と接続されている。また、調整流路１７２には、接続口１７２ａが設けられている。接続口１７２ａは、第２の連通流路１９０を調整流路１７２に接続するための接続口である。
【００５９】
（構成−波力伝達部−収容部−第１の連通流路）
第１の連通流路１８０は、ポンプ流路１５０の連通流路１５３をポンプ流路１５０の連通流路１５２に連通させる流路である。この第１の連通流路１８０は、連通流路１５２の接続口１５２ｂを介して連通流路１５２と接続されていると共に、連通流路１５４の接続口１５４ａを介して連通流路１５４と接続されている。また、この第１の連通流路１８０には、第７の弁１８１が設けられている。第７の弁１８１は、連通流路１５２から連通流路１５４への流体の流入を制限する弁である。
【００６０】
（構成−波力伝達部−収容部−第２の連通流路）
第２の連通流路１９０は、ポンプ流路１５０の連通流路１５４を発電流路１７０の調整流路１７２に連通させる流路である。この第２の連通流路１９０は、調整流路１７２の接続口１７２ａを介して調整流路１７２と接続されていると共に、連通流路１５４の接続口１５４ｂを介して連通流路１５４と接続されている。また、この第２の連通流路１９０には、第８の弁１９１が設けられている。第８の弁１９１は、連通流路１５４から調整流路１７２への流体の流入を制限する弁である。
【００６１】
このような構成により、ポンプ流路１５０のシリンダ流路１５１から連通流路１５２を介して流体が送出された場合に、当該流体を発電流路１７０のダイナモ収容流路１７１に送出することができると共に、ポンプ流路１５０のシリンダ流路１５１から連通流路１５４を介して流体が送出された場合にも、当該流体を第１の連通流路１８０、及びポンプ流路１５０の連通流路１５２を介して発電流路１７０のダイナモ収容流路１７１に送出することができる。
【００６２】
（発電装置の機能）
このように構成された発電装置１０２の機能について説明する。図７は、発電装置１０２の発電状況を示す図であり、（ａ）は発電装置１０２ａの浮遊体１０の下面が正圧を受けた状態示す図であり、（ｂ）は（ａ）の時の発電装置１０２ａの収容部１４０内部における流体の流動状態を示す図である。図８は、発電装置１０２の発電状況を示す図であり、（ａ）は発電装置１０２ａの浮遊体１０の下面が負圧を受けた状態を示す図であり、（ｂ）は（ａ）の時の発電装置１０２ａの収容部１４０内部における流体の流動状態を示す図である。
【００６３】
まず、図７（ａ）、（ｂ）に示すように、発電装置１０２ａの浮遊体１０側の波高が高くなることによって、当該浮遊体１０の下面が正圧を受けた場合、発電装置１０２ａの流動部８０によって発電装置１０２ａの収容部１４０におけるポンプ流路１５０のシリンダ流路１５１内の流体が正圧を受けると共に、発電装置１０２ｂの流動部８０によって発電装置１０２ｂの収容部１４０におけるポンプ流路１５０のシリンダ流路１５１内の流体が正圧を受ける。これにより、発電装置１０２ａ、１０２ｂの収容部１４０内の流体に波力が伝達される。また、図７（ｂ）に示すように、発電装置１０２ａの収容部１４０におけるポンプ流路１５０のシリンダ流路１５１内の流体が、当該ポンプ流路１５０の連通流路１５２を介して発電流路１７０のダイナモ収容流路１７１に送出される。一方、このシリンダ流路１５１内の流体が、連通流路１５２を介して第１の連通流路１８０に送出された場合には、第１の連通流路１８０の第７の弁１８１によって、連通流路１５４への当該流体の流入が制限される。そして、このダイナモ収容流路１７１に流入された流体は、この連通流路１５２から発電流路１７０の調整流路１７２に向けて流動することにより、当該流体に伝達された波力が発電部９０のダイナモ９１に伝達される。その後、この調整流路１７２に流入された流体は、第２の連通流路１９０及びポンプ流路１５０の連通流路１５４を介してポンプ流路１５０のシリンダ流路１５１に送出される。一方、この調整流路１７２に流入された流体が、ポンプ流路１５０の連通流路１５３に送出された場合には、ポンプ流路１５０のシリンダ流路１５１内の流体によって、連通流路１５３の第６の弁１５３ａが押圧されているので、シリンダ流路１５１への当該流体の流入が制限される（なお、発電装置１０２ｂの収容部１４０内の流体の流動状態についても同様とする）。
【００６４】
一方、図８（ａ）、（ｂ）に示すように、発電装置１０２ａの浮遊体１０側の波高が低くなることによって、当該浮遊体１０の下面が負圧を受けた場合、発電装置１０２ａの流動部８０によって発電装置１０２ａの収容部１４０内の流体が負圧を受けると共に、発電装置１０２ｂの流動部８０によって発電装置１０２ｂの収容部１４０内の流体が負圧を受ける。これにより、発電装置１０２ａ、１０２ｂの収容部１４０内の流体に波力が伝達される。また、図８（ｂ）に示すように、発電装置１０２ａの収容部１４０におけるポンプ流路１５０のシリンダ流路１５１内の流体が、当該ポンプ流路１５０の連通流路１５４、第１の連通流路１８０、及びポンプ流路１５０の連通流路１５２を介して発電流路１７０のダイナモ収容流路１７１に送出される。一方、このシリンダ流路１５１内の流体が、連通流路１５４を介して第２の連通流路１９０に送出された場合には、第２の連通流路１９０の第８の弁１９１によって、発電流路１７０の調整流路１７２への当該流体の流入が制限される。そして、このダイナモ収容流路１７１に流入された流体は、この連通流路１５２から発電流路１７０の調整流路１７２に向けて流動することにより、当該流体に伝達された波力が発電部９０のダイナモ９１に伝達される。その後、この調整流路１７２に流入された流体は、ポンプ流路１５０の連通流路１５３を介してポンプ流路１５０のシリンダ流路１５１に送出される。一方、この調整流路１７２に流入された流体が、第２の連通流路１９０に送出された場合には、連通流路１５４を介して第２の連通流路１９０に送出された流体によって、第２の連通流路１９０の第８の弁１９１が押圧されているので、ポンプ流路１５０の連通流路１５４への当該流体の流入が制限される（なお、発電装置１０２ｂの収容部１４０内の流体の流動状態についても同様とする）。
【００６５】
これらの場合において、波力によって発電部９０のダイナモ９１が回転される方向と、当該ダイナモ９１の回転子が発電可能な回転方向とが一致する場合には、当該ダイナモ９１に伝達された波力によって当該ダイナモ９１が駆動されることにより、当該ダイナモ９１が発電を行うことが可能となる。特に、ポンプ流路１５０の連通流路１５２、１５４、及び第１の連通流路１８０を介してポンプ流路１５０のシリンダ流路１５１と発電流路１７０のダイナモ収容流路１７１とを接続すると共に、ポンプ流路１５０の連通流路１５３、１５４、及び第２の連通流路１９０を介してポンプ流路１５０のシリンダ流路１５１と調整流路１７２とを接続することにより、収容部１４０を構成したので、実施の形態１の発電装置１に比べて、コンパクトな構成とすることができる。
【００６６】
（効果）
このように実施の形態２によれば、ポンプ流路１５０の連通流路１５２、１５４、及び第１の連通流路１８０を介してポンプ流路１５０のシリンダ流路１５１と発電流路１７０のダイナモ収容流路１７１とを接続すると共に、ポンプ流路１５０の連通流路１５３、１５４、及び第２の連通流路１９０を介してポンプ流路１５０のシリンダ流路１５１と調整流路１７２とを接続することにより、収容部１４０を構成したので、実施の形態１の発電装置１に比べて、コンパクトな構成とすることができ、設置性を向上させることができる。
【００６７】
〔実施の形態３〕
次に、実施の形態３について説明する。この形態は、実施の形態２の発電装置とは異なる形態であって、波力伝達手段の収容手段を単純構造とした形態である。なお、実施の形態２と略同様の構成要素については、必要に応じて、実施の形態２で用いたのと同一の符号又は名称を付してその説明を省略する。
【００６８】
（構成）
まず、実施の形態３に係る発電装置の構成について説明する。図９は、実施の形態３に係る発電装置の波力伝達部の内部構造を示す平面図である。図９に示すように、実施の形態２に係る発電装置２０２は、実施の形態２に係る発電装置１０２とほぼ同様に構成されている。ただし、波力伝達部３０の収容部２４０の構成内容について、下記に示す工夫が施されている。
【００６９】
（構成−波力伝達部−収容部）
図９に示すように、収容部２４０は、ポンプ流路２５０と、発電流路２７０と、第１の連通流路２８０と、第２の連通流路２９０とを備えている。
【００７０】
（構成−波力伝達部−収容部−ポンプ流路）
ポンプ流路２５０は、シリンダ流路２５１と、連通流路２５２、２５３、２５４とを備えている。
【００７１】
シリンダ流路２５１には、開口２５１ａと、接続口２５１ｂ、２５１ｃ、２５１ｄとが設けられている。ここで、接続口２５１ｂは、連通流路２５２をシリンダ流路２５１に接続するための接続口であり、例えばシリンダ流路２５１の長手方向の開口２５１ａ側とは反対側の端部に形成されている。接続口２５１ｃは、連通流路２５３をシリンダ流路２５１に接続するための接続口であり、例えばシリンダ流路２５１の開口２５１ａ近傍の端部に形成されている。また、接続口２５１ｄは、連通流路２５４をシリンダ流路２５１に接続するための接続口であり、例えばシリンダ流路２５１の開口２５１ａ近傍の端部であって、接続口２５１ｃとは異なる位置にある端部に形成されている。
【００７２】
連通流路２５２は、第１の連通流路２８０及び第２の連通流路２９０をシリンダ流路２５１に連通させる流路であり、シリンダ流路２５１の接続口２５１ｂを介してシリンダ流路２５１と接続されている。この連通流路２５２には、接続口２５２ａ、２５２ｂとが設けられている。接続口２５２ａは、第１の連通流路２８０を連通流路２５２に接続するための接続口である。接続口２５２ｂは、第２の連通流路２９０を連通流路２５２に接続するための接続口である。
【００７３】
連通流路２５３は、発電流路２７０のダイナモ収容流路２７１及び第１の連通流路２８０をシリンダ流路２５１に連通させる流路であり、シリンダ流路２５１の接続口２５１ｃを介してシリンダ流路２５１と接続されている。この連通流路２５３には、第９の弁２５３ａと、接続口２５３ｂ、２５３ｃとが設けられている。第９の弁２５３ａは、発電流路２７０のダイナモ収容流路２７１からシリンダ流路２５１への流体の流入を制限する弁である。接続口２５３ｂは、発電流路２７０のダイナモ収容流路２７１を連通流路２５３に接続するための接続口である。接続口２５３ｃは、第１の連通流路２８０を連通流路２５３に接続するための接続口である。
【００７４】
連通流路２５４は、発電流路２７０の調整流路２７２及び第２の連通流路２９０をシリンダ流路２５１に連通させる流路であり、シリンダ流路２５１の接続口２５１ｄを介してシリンダ流路２５１と接続されている。この連通流路２５４には、第１０の弁２５４ａと、接続口２５４ｂとが設けられている。第１０の弁２５４ａは、シリンダ流路２５１から発電流路２７０の調整流路２７２への流体の流入を制限する弁である。接続口２５４ｂは、発電流路２７０の調整流路２７２を連通流路２５２に接続するための接続口である。
【００７５】
（構成−波力伝達部−収容部−発電流路）
発電流路２７０は、ダイナモ収容流路２７１と、調整流路２７２とを備えている。ここで、ダイナモ収容流路２７１は、ポンプ流路２５０における連通流路２５３の接続口２５３ｂを介して当該連通流路２５３と接続されている。また、調整流路２７２は、ポンプ流路２５０における連通流路２５４の接続口２５４ｂを介して当該連通流路２５４と接続されている。また、調整流路２７２には、接続口２７２ａが設けられている。接続口２７２ａは、第２の連通流路２９０を調整流路に接続するための接続口である。
【００７６】
（構成−波力伝達部−収容部−第１の連通流路）
第１の連通流路２８０は、ポンプ流路２５０の連通流路２５２をポンプ流路２５０の連通流路２５３に連通させる流路である。この第１の連通流路２８０は、連通流路２５２の接続口２５２ａを介して連通流路２５２と接続されていると共に、連通流路２５３の接続口２５３ａを介して連通流路２５３と接続されている。また、この第１の連通流路２８０には、第１１の弁２８１が設けられている。第１１の弁２８１は、連通流路２５３から連通流路２５２への流体の流入を制限する弁である。
【００７７】
（構成−波力伝達部−収容部−第２の連通流路）
第２の連通流路２９０は、ポンプ流路２５０の連通流路２５２を発電流路２７０の調整流路２７２に連通させる流路である。この第２の連通流路２９０は、連通流路２５２の接続口２５２ｂを介して連通流路２５２と接続されていると共に、調整流路２７２の接続口２７２ａを介して調整流路２７２と接続されている。また、この第２の連通流路２９０には、第１２の弁２９１が設けられている。第１２の弁２９１は、連通流路２５２から調整流路２７２への流体の流入を制限する弁である。
【００７８】
このような構成により、ポンプ流路２５０のシリンダ流路２５１から連通流路２５２を介して流体が送出された場合に、当該流体を第１の連通流路２８０、及びポンプ流路２５０の連通流路２５３を介して発電流路２７０のダイナモ収容流路２７１に送出することができると共に、ポンプ流路２５０のシリンダ流路２５１から連通流路２５３を介して流体が送出された場合にも、当該流体を発電流路２７０のダイナモ収容流路２７１に送出することができる。
【００７９】
（発電装置の機能）
このように構成された発電装置２０２の機能について説明する。図１０は、発電装置２０２の発電状況を示す図であり、（ａ）は発電装置２０２ａの浮遊体１０の下面が正圧を受けた状態示す図であり、（ｂ）は（ａ）の時の発電装置２０２ａの収容部２４０内部における流体の流動状態を示す図である。図１１は、発電装置２０２の発電状況を示す図であり、（ａ）は発電装置２０２ａの浮遊体１０の下面が負圧を受けた状態を示す図であり、（ｂ）は（ａ）の時の発電装置２０２ａの収容部２４０内部における流体の流動状態を示す図である。
【００８０】
まず、図１０（ａ）、（ｂ）に示すように、発電装置２０２ａの浮遊体１０側の波高が高くなることによって、当該浮遊体１０の下面が正圧を受けた場合、発電装置２０２ａの流動部８０によって発電装置２０２ａの収容部２４０におけるポンプ流路２５０のシリンダ流路２５１内の流体が正圧を受けると共に、発電装置２０２ｂの流動部８０によって発電装置２０２ｂの収容部２４０におけるポンプ流路２５０のシリンダ流路２５１内の流体が正圧を受ける。これにより、発電装置２０２ａ、２０２ｂの収容部２４０内の流体に波力が伝達される。また、図１０（ｂ）に示すように、発電装置２０２ａの収容部２４０におけるポンプ流路２５０のシリンダ流路２５１内の流体が、当該ポンプ流路２５０の連通流路２５２、第１の連通流路２８０、及びポンプ流路２５０の連通流路２５３を介して発電流路２７０のダイナモ収容流路２７１に送出される。一方、このシリンダ流路２５１内の流体が、連通流路２５２を介して第２の連通流路２９０に送出された場合には、第２の連通流路２９０の第１２の弁２９１によって、発電流路２７０の調整流路２７２への当該流体の流入が制限される。そして、このダイナモ収容流路２７１に流入された流体は、この連通流路２５３から発電流路２７０の調整流路２７２に向けて流動することにより、当該流体に伝達された波力が発電部９０のダイナモ９１に伝達される。その後、この調整流路２７２に流入された流体は、ポンプ流路２５０の連通流路２５４を介してポンプ流路２５０のシリンダ流路２５１に送出される。一方、この調整流路２７２に流入された流体が、第２の連通流路２９０に送出された場合には、連通流路２５２を介して第２の連通流路２９０に送出された流体によって、第２の連通流路２９０の第１２の弁２９１が押圧されているので、ポンプ流路２５０の連通流路２５２への当該流体の流入が制限される（なお、発電装置２０２ｂの収容部２４０内の流体の流動状態についても同様とする）。
【００８１】
一方、図１１（ａ）、（ｂ）に示すように、発電装置２０２ａの浮遊体１０側の波高が低くなることによって、当該浮遊体１０の下面が負圧を受けた場合、発電装置２０２ａの流動部８０によって発電装置２０２ａの収容部２４０内の流体が負圧を受けると共に、発電装置２０２ｂの流動部８０によって発電装置２０２ｂの収容部２４０内の流体が負圧を受ける。これにより、発電装置２０２ａ、２０２ｂの収容部２４０内の流体に波力が伝達される。また、図１１（ｂ）に示すように、発電装置２０２ａの収容部２４０におけるポンプ流路２５０のシリンダ流路２５１内の流体が、当該ポンプ流路２５０の連通流路２５３を介して発電流路２７０のダイナモ収容流路２７１に送出される。一方、このシリンダ流路２５１内の流体が、連通流路２５３を介して第１の連通流路２８０に送出された場合には、第１の連通流路２８０の第１１の弁２８１によって、発電流路２７０の調整流路２７２への当該流体の流入が制限される。そして、このダイナモ収容流路２７１に流入された流体は、この連通流路２５３から発電流路２７０の調整流路２７２に向けて流動することにより、当該流体に伝達された波力が発電部９０のダイナモ９１に伝達される。その後、この調整流路２７２に流入された流体は、第２の連通流路２９０、及びポンプ流路２５０の連通流路２５２を介してポンプ流路２５０のシリンダ流路２５１に送出される。一方、この調整流路２７２に流入された流体が、ポンプ流路２５０の連通流路２５４に送出された場合には、ポンプ流路２５０のシリンダ流路２５１内の流体によって、連通流路２５４の第１０の弁２５４ａが押圧されているので、ポンプ流路２５０のシリンダ流路２５１への当該流体の流入が制限される（なお、発電装置２０２ｂの収容部２４０内の流体の流動状態についても同様とする）。
【００８２】
これらの場合において、波力によって発電部９０のダイナモ９１が回転される方向と、当該ダイナモ９１の回転子が発電可能な回転方向とが一致する場合には、当該ダイナモ９１に伝達された波力によって当該ダイナモ９１が駆動されることにより、当該ダイナモ９１が発電を行うことが可能となる。特に、ポンプ流路２５０の連通流路２５２、２５３、及び第１の連通流路２８０を介してポンプ流路２５０のシリンダ流路２５１と発電流路２７０のダイナモ収容流路２７１とを接続すると共に、ポンプ流路２５０の連通流路２５２、２５４及び第２の連通流路２９０を介してポンプ流路２５０のシリンダ流路２５１と調整流路２７２とを接続することにより、収容部２４０を構成したので、実施の形態１の発電装置１に比べて、コンパクトな構成とすることができる。
【００８３】
（効果）
このように実施の形態３によれば、ポンプ流路２５０の連通流路２５２、２５３、及び第１の連通流路２８０を介してポンプ流路２５０のシリンダ流路２５１と発電流路２７０のダイナモ収容流路２７１とを接続すると共に、ポンプ流路２５０の連通流路２５２、２５４及び第２の連通流路２９０を介してポンプ流路２５０のシリンダ流路２５１と調整流路２７２とを接続することにより、収容部２４０を構成したので、実施の形態１の発電装置１に比べて、コンパクトな構成とすることができ、設置性を向上させることができる。
【００８４】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、波力伝達部３０が従来より発電手段に波力を正確に伝達できない場合であっても、この波力の伝達を、従来とは異なる技術により従来と同様に達成できている場合には、本願発明の課題が解決されている。
【００８６】
（各実施の形態の組み合わせ）
上記実施の形態１から３に示した構成は、相互に組み合わせることができる。例えば、図１２に示すように、実施の形態２に係る発電装置１０２と、実施の形態３に係る発電装置２０２の収容部２４０におけるポンプ流路２５０の連通流路２５４、第９の弁２５３ａ、及び第１０の弁２５４ａとを組み合わせてもよい。この図１２の例に示すように、ポンプ流路２５０に直接的に弁を設けてもよい。あるいは、実施の形態１に係る発電装置１と、実施の形態２に係る発電装置１０２の収容部１４０におけるポンプ流路２５０の連通流路１５２、１５３、又は、実施の形態３に係る発電装置２０２の収容部２４０におけるポンプ流路２５０の連通流路２５３、２５４とを組み合わせてもよい。
【００８７】
（電力の利用方法について）
上記実施の形態１から３では、海上施設の照明等に対して利用すると説明したが、これに限られない。例えば、発電した電力を非常用蓄電池に蓄電して、非常用蓄電池を非常用電源として利用できるようにしてもよい。
【００８８】
（発電装置の設置について）
上記実施の形態１から３では、発電装置は前後左右に複数列に設置されていると説明したが、これに限られない。例えば、図１３に示すように、この発電装置は、任意の海上施設（例えば、図１３に示す風力発電施設の他、海洋発電施設、石油採掘施設、灯台、ヘリポート等）の周囲の全体や一部を取り囲むように複数設置されてもよい。このような設置形態を採用することで、発電装置を、波のエネルギーを吸収して発電を行い、この波のエネルギーにより海上施設が悪影響を受けることを防止する、消波ブロックとしても機能させることができる。
【００８９】
（浮遊体の形状について）
上記実施の形態１から３では、浮遊体１０の形状は略箱状体であると説明したが、これに限られず、例えば柱状体（例えば、三角柱、円柱等）や錐状体（円錐状体、三角錘状体等）、扇状体等にて形成されてもよい。また、上記図１に示すように、複数の発電装置が設けられている場合において、これら複数の発電装置のうち、最外縁側に位置する発電装置の浮遊体１０の形状については、例えば水平方向に沿った波力が効果的に受けられるように、浮遊体１０の前後左右の側面のうち、波力を受ける側の側面を、他の側面よりも平面形状が大きな斜面を有する略箱状体にて形成されてもよい。
【００９０】
（接続部の構成について）
上記実施の形態１から３では、接続部２０は、回転軸２１と、継手部２２ａ、２２ｂとを備えて構成されていると説明したが、これに限られない。例えば、波の上下動及び水平動によって一対の浮遊体１０の相互の間隔が伸縮可能となるように、接続部２０自体が、ゴム等の弾性体にて形成されたブロック体又は棒状体等にて構成されてもよい。
【００９１】
（波力伝達部について）
また、上記実施の形態１から３では、波力伝達部３０の少なくとも一部（例えば、収容部等）は、浮遊体１０の内部に配置されていると説明したが、例えば、これら波力伝達部３０は、浮遊体１０の外部に配置されてもよい。この場合において、浮遊体１０の形状については、例えば中空体であってもよく、あるいは中実体であってもよい。
【００９２】
また、上記実施の形態１では、波力伝達部３０は、収容部４０と、流動部８０とを備えていると説明したが、これに限られない。例えば、波力伝達部３０は、流動部８０のみを備え、この流動部８０の突起部分が発電部９０のダイナモ９１の回転子に直接的に当接するように、この流動部８０が配置されてもよい。これにより、回転軸２１を中心とした発電装置２ａ、２ｂの浮遊体１０のいずれか一方の回転によりこれら浮遊体１０の相互の間隔が伸縮することに伴って、発電装置２ａ、２ｂの各々の流動部８０の突起部分が発電装置２ａ、２ｂの各々の発電部９０におけるダイナモ９１の回転子と当接しながら直線移動することにより、波力がダイナモ９１に伝達される。そして、波力によってダイナモ９１が回転される方向と、ダイナモ９１の回転子が発電可能な回転方向とが一致する場合に、ダイナモ９１に伝達された波力によって当該ダイナモ９１が駆動されることにより、当該ダイナモ９１が発電を行うことが可能となる。この場合において、波力伝達部３０と発電部９０は浮遊体１０の内部に収容されてもよく、あるいは、浮遊体１０の外部に配置されてもよい。また、発電部９０の構成としては、ダイナモ９１に限られず、例えば圧電素子等の発電素子を用いて構成されてもよい。
【００９３】
（収容部の流路径の大きさについて）
上記実施の形態２、３では、収容部の流路径の大きさについては、収容部におけるポンプ流路のシリンダ流路の流路径を、当該シリンダ流路の流路径以外の他の流路径よりも大きくしていると説明したが、これに限られない。例えば、発電流路における調整流路の流路径の大きさを、収容部におけるポンプ流路のシリンダ流路の流路径と略同一の大きさとしてもよい。
【００９４】
（ポンプ流路について）
上記実施の形態１では、ポンプ流路５０の連通流路５２の形状については、当該連通流路５２の流路径ＤＢの大きさを、シリンダ流路５１の流路径ＤＡよりも小さくしていると説明したが、例えば、当該連通流路５２のシリンダ流路５１側の端部の流路径の大きさを、シリンダ流路５１の流路径ＤＡよりも大きくしてもよい。これにより、シリンダ流路５１から送出される流体の圧力を小さくして、連通流路５２における流体の流動性を高めることができる（なお、上記実施の形態２におけるポンプ流路の連通流路１５２の形状、上記実施の形態３におけるポンプ流路の連通流路２５２の形状についても同様とする）。なお、このシリンダ流路５１は、特許請求の範囲における「ポンプ流路のうち、流動手段が移動可能な部分」に対応する。
【００９５】
（弁について）
上記実施の形態１では、第１の弁６３ａ〜第４の弁６３ｄとして、回転軸を中心に回転する弁体を１つのみ設けた例を示しているが、回転軸を中心に回転する弁体を２つ対向するように配置した構造等、任意の弁構造を採用することができる。
（付記）
付記１の発電装置は、波力を電気に変換する発電手段を備えた発電装置であって、相互に間隔を隔てて設けられた一対の浮遊体と、前記一対の浮遊体の相互の間隔が伸縮可能となるように、当該一対の浮遊体同士を接続する接続手段と、前記一対の浮遊体のいずれか一方が波力を受けた場合に、前記一対の浮遊体の相互の間隔が伸縮することに伴って、前記一対の浮遊体のいずれか他方が押し引きされることにより、前記発電手段に当該波力を伝達する波力伝達手段と、を備え、前記発電手段は、前記波力伝達手段にて伝達された波力によって当該発電手段が駆動されることにより発電を行う。
付記２の発電装置は、付記１に記載の発電装置において、前記接続手段は、前記一対の浮遊体同士を回転軸を中心に回転可能に接続し、前記波力伝達手段は、前記一対の浮遊体の少なくとも一方に設けられた収容手段であって、流体を収容する収容手段と、前記一対の浮遊体の少なくとも他方に設けられた流動手段であって、前記一対の浮遊体のいずれか一方が前記波力を受けた場合に、前記回転軸を中心とした当該一対の浮遊体のいずれか一方の回転により前記一対の浮遊体の相互の間隔が伸縮することに伴って、前記一対の浮遊体のいずれか他方が押し引きされることにより、前記収容手段に収容された前記流体を流動させる流動手段と、を備え、前記発電手段は、前記収容手段の内部に収容されており、前記流動手段による前記流体の流動によって当該発電手段が駆動されることにより発電を行う。
付記３の発電装置は、付記２に記載の発電装置において、前記収容手段は、第１の流路と、前記第１の流路の一方の端部と接続された第２の流路と、前記第１の流路の他方の端部と接続された第３の流路と、前記第２の流路における前記第１の流路側とは反対側の端部と、前記第３の流路における前記第１の流路側とは反対側の端部とに接続された第４の流路と、前記第１の流路内に配置された第１の弁であって、前記第１の流路と前記第２の流路とを接続する第１の接続部から前記第１の流路と前記第３の流路とを接続する第２の接続部への前記流体の流入を制限する第１の弁と、前記第２の流路内に配置された第２の弁であって、前記第２の流路と前記第４の流路とを接続する第３の接続部から前記第１の接続部への前記流体の流入を制限する第２の弁と、前記第３の流路内に配置された第３の弁であって、前記第３の流路と前記第４の流路とを接続する第４の接続部から前記第２の接続部への前記流体の流入を制限する第３の弁と、前記第４の流路内に配置された第４の弁であって、前記第３の接続部から前記第４の接続部への前記流体の流入を制限する第４の弁と、前記第１の接続部と、前記第４の接続部とに接続されたポンプ流路であって、前記流動手段によって流動された前記流体を前記第２の流路又は前記第４の流路に向けて送出するポンプ流路と、前記第２の接続部と、前記第３の接続部とに接続された発電流路であって、前記ポンプ流路から前記第２の流路又は前記第４の流路を介して送られた前記流体の流動によって、当該発電流路内に配置された前記発電手段を駆動させる発電流路と、を備えている。
付記４の発電装置は、付記３の発電装置において、前記発電流路のうち、前記発電手段の近傍部分であって、前記第３の接続部側とは反対側の近傍部分の流路径を、当該近傍部分以外の他の部分よりも大きくしている。
付記５の発電装置は、付記３又は４に記載の発電装置において、前記ポンプ流路のうち、前記流動手段が移動可能な部分の端部であって、前記第１の接続部側の端部の流路径を、当該端部以外の他の部分よりも大きくしている。
（付記の効果）
付記１に記載の発電装置によれば、一対の浮遊体のいずれか一方が波力を受けた場合に、一対の浮遊体の相互の間隔が伸縮することに伴って、一対の浮遊体のいずれか他方が押し引きされることにより、波力伝達手段は、発電手段に当該波力を伝達し、発電手段は、波力伝達手段にて伝達された波力によって当該発電手段が駆動されることにより発電を行うので、波の上下動及び波の水平動に応じて発電を行うことができ、従来の発電装置に比べて発電の効率を向上させることが可能となる。
付記２に記載の発電装置によれば、一対の浮遊体のいずれか一方が波力を受けた場合に、回転軸を中心とした当該一対の浮遊体のいずれか一方の回転により一対の浮遊体の相互の間隔が伸縮することに伴って、一対の浮遊体のいずれか他方が押し引きされることにより、流動手段は、収容手段に収容された流体を流動させ、発電手段は、収容手段の内部に収容されており、流動手段による流体の流動によって当該発電手段が駆動されることにより発電を行うので、流動手段による流体の特性を活かした工夫を施すことにより、当該発電手段に対して波力を効果的に伝達することができ、発電の効率を一層向上させることが可能となる。
付記３に記載の発電装置によれば、収容手段の第１の流路と、第２の流路と、第３の流路と、第４の流路とをブリッジ状に形成し、且つ各流路に第１の弁と、第２の弁と、第３の弁と、第４の弁とを設けて、ポンプ流路から第２の流路又は第４の流路を介して発電流路に流体が送られるようにすることにより、発電流路が、当該送られた流体の流動によって、当該発電流路内に配置された発電手段を駆動させるので、一対の浮遊体の相互の間隔が伸びたり又は縮んだ場合においても、波力によって発電手段が駆動される方向と、発電手段が発電可能な駆動方向とを一致させることによって、当該発電手段が発電を行うことが可能となる。
付記４に記載の発電装置によれば、発電流路のうち、発電手段の近傍部分であって、第３の接続部側とは反対側の近傍部分の流路径を、当該近傍部分以外の他の部分よりも大きくしたので、発電流路における第３の接続部側の部分から送出された流体の圧力を小さくして、当該近傍部分における流体の流動性を高めることができ、発電手段の発電効率をさらに一層高めることができる。
付記５に記載の発電装置によれば、ポンプ流路のうち、流動手段が移動可能な部分の端部であって、第１の接続部側の端部の流路径を、当該端部以外の他の部分よりも大きくしたので、ポンプ流路の第１の接続部側の部分から送出される流体の圧力を小さくして、第１の接続部側の端部近傍における流体の流動性を高めることができ、発電手段の発電効率をさらに一層高めることができる。
【符号の説明】
【００９６】
１  浮消波堤
２、２ａ、２ｂ、１０２、１０２ａ、１０２ｂ、２０２、２０２ａ、２０２ｂ  発電装置
１０  浮遊体
１０ａ、５１ａ、１５１ａ、２５１ａ  開口
２０  接続部
２１  回転軸
２２ａ、２２ｂ  継手部
３０  波力伝達部
４０、１４０、２４０  収容部
５０、１５０、２５０  ポンプ流路
５１、１５１、２５１  シリンダ流路
５１ｂ、５１ｃ、７１ａ、１５１ｂ、１５１ｃ、１５１ｄ、１５２ｂ、１５２ｃ、１５３ｂ、１５４ａ、１５４ｂ、１７２ａ、２５１ｂ、２５１ｃ、２５１ｄ、２５２ａ、２５２ｂ、２５３ｂ、２５３ｃ、２５４ｂ、２７２ａ  接続口
５２、５３、１５２、１５３、１５４、２５２、２５３、２５４  連通流路
６０  ブリッジ流路
６１ａ  第１の流路
６１ｂ  第２の流路
６１ｃ  第３の流路
６１ｄ  第４の流路
６２ａ  第１の接続部
６２ｂ  第２の接続部
６２ｃ  第３の接続部
６２ｄ  第４の接続部
６３ａ  第１の弁
６３ｂ  第２の弁
６３ｃ  第３の弁
６３ｄ  第４の弁
７０、１７０、２７０  発電流路
７１、１７１、２７１  ダイナモ収容流路
７２、１７２、２７２  調整流路
８０  流動部
９０  発電部
９１  ダイナモ
１５２ａ  第５の弁
１５３ａ  第６の弁
１８０、２８０  第１の連通流路
１８１  第７の弁
１９０、２９０  第２の連通流路
１９１  第８の弁
２５３ａ  第９の弁
２５４ａ  第１０の弁
２８１  第１１の弁
２９１  第１２の弁
【図１】
0006338122.tif 000002
【図２】
0006338122.tif 000003
【図３】
0006338122.tif 000004
【図４】
0006338122.tif 000005
【図５】
0006338122.tif 000006
【図６】
0006338122.tif 000007
【図７】
0006338122.tif 000008
【図８】
0006338122.tif 000009
【図９】
0006338122.tif 000010
【図１０】
0006338122.tif 000011
【図１１】
0006338122.tif 000012
【図１２】
0006338122.tif 000013
【図１３】
0006338122.tif 000014